【事件の表示】
　特許第５８２３９９６号に関する訂正審判事件について、次のとおり審決する。
【結　論】
　特許第５８２３９９６号の明細書、及び特許請求の範囲を本件審判請求書に添付された訂正された明細書、及び特許請求の範囲のとおり、訂正後の請求項〔１−２〕、〔３−８〕、〔９−１０〕、〔１１−１６〕について訂正することを認める。
【理　由】
第１　手続の経緯
　本件審判の請求に係る特許第５８２３９９６号（以下「本件特許」という。）の経緯は以下のとおりである。
平成２５年　１月３１日　出願（特願２０１３−１７９１７号）
平成２７年　９月２８日　特許査定
平成２７年１０月１６日　登録
平成２９年１２月　１日　本件訂正審判の請求
第２　請求の趣旨
　本件訂正審判の請求の趣旨は、特許第５８２３９９６号の明細書、特許請求の範囲を本件審判請求書に添付した訂正特許請求の範囲のとおり訂正することを認める、との審決を求める、というものである。
第３　本件訂正の内容
　本件訂正の内容は、次のとおりである。（審決注：下線部分は審決で付した。以下同様。）
１　訂正事項１
　特許第５８２３９９６号における特許請求の範囲の請求項１に
「サーバと、該サーバと通信可能な複数の通信端末とを備える通信システムにおいて、
　前記サーバは、
　前記複数の通信端末のユーザが通信システム上でプレイすることができるゲーム内で形成する街の状態を示す各種のパラメータを記憶し、
　ユーザが行っていない施設設置操作を前記各種のパラメータに基づいて識別し、
　識別した前記施設設置操作を前記街についての次の操作としてユーザに促すアドバイス情報を前記通信端末に送信し、
　前記通信端末は、受信した前記アドバイス情報を含む画面を表示することを特徴とする通信システム。」
と記載されているのを、
「サーバと、該サーバと通信可能な複数の通信端末とを備える通信システムにおいて、
　前記サーバは、
　前記複数の通信端末のユーザが通信システム上でプレイすることができるゲーム内で形成する街の状態を示す各種のパラメータを記憶し、
　ユーザが行っていない施設設置操作を
、街のレベル及び町に配置された設置物の数を含むユーザ街情報を含む
　識別した前記施設設置操作を前記街についての次の操作としてユーザに促すアドバイス情報を前記通信端末に送信し、
　前記通信端末は、
　受信した前記アドバイス情報
であって、街のレベル及び街に配置された設置物の数に基づくアドバイス情報
　
前記通信端末は、さらに、複数のユーザ間におけるランキングを表示するランキング表示画面を表示し、
　
前記ランキング表示画面として、ランキング上位のユーザの情報を含む全体ランキング情報を表示する画面と、フレンドユーザ内におけるユーザ本人の順位を表示する画面とが表示可能となり、
　
前記ランキング表示画面では表示されているユーザに紐づけられた訪問ボタンが表示可能となり、
　
前記訪問ボタンがタップされることで、対応するユーザの街を表示する
に訂正する（請求項１の記載を直接的に引用する請求項２も同様に訂正する。以下「訂正事項１」といい、「
街のレベル及び町に配置された設置物の数を含むユーザ街情報を含む
であって、街のレベル及び街に配置された設置物の数に基づくアドバイス情報
前記通信端末は、さらに、複数のユーザ間におけるランキングを表示するランキング表示画面を表示し、前記ランキング表示画面として、ランキング上位のユーザの情報を含む全体ランキング情報を表示する画面と、フレンドユーザ内におけるユーザ本人の順位を表示する画面とが表示可能となり、前記ランキング表示画面では表示されているユーザに紐づけられた訪問ボタンが表示可能となり、前記訪問ボタンがタップされることで、対応するユーザの街を表示する
２　訂正事項２
　特許第５８２３９９６号における特許請求の範囲の請求項２に
「前記サーバは、
　前記各種のパラメータのうち前記街に配置された設置物の数を示すパラメータに基づいて前記街に設置されていない施設を識別し、
　識別した前記施設を設置する操作を、ユーザが行っていない前記施設設置操作として識別し、
　識別した前記施設設置操作をユーザに促す前記アドバイス情報を前記通信端末に送信することを特徴とする、請求項１に記載の通信システム。」
と記載されているのを、
「前記サーバは、
　前記各種のパラメータのうち前記街に配置された設置物の数を示すパラメータに基づいて前記街に設置されていない施設を識別し、
　識別した前記施設を設置する操作を、ユーザが行っていない前記施設設置操作として識別し、
　識別した前記施設設置操作をユーザに促す前記アドバイス情報を前記通信端末に送信
し、
　
前記通信端末は、
　
街のレベル、街に配置された設置物の数及び資材の量に基づくアドバイス情報を表示し、
　
前記全体ランキング情報を表示する画面と、フレンドユーザ内におけるユーザ本人の順位を表示する画面とがタブをタップすることで切り替えられるように表示し、
　
前記全体ランキング情報を表示する画面では表示されているユーザに紐づけられた訪問ボタンが表示される
に訂正する（以下「訂正事項２」という。）。
３　訂正事項３
　特許第５８２３９９６号における特許請求の範囲の請求項３に
「前記サーバは、
　前記各種のパラメータに基づいて採点情報を算出し、
　前記採点情報を前記通信端末に送信し、
　前記通信端末は、受信した前記採点情報を含む画面を表示することを特徴とする、請求項１又は２に記載の通信システム。」
と記載されているのを、
「
サーバと、該サーバと通信可能な複数の通信端末とを備える通信システムにおいて、
　
前記サーバは、
　
前記複数の通信端末のユーザが通信システム上でプレイすることができるゲーム内で形成する街の状態を示す各種のパラメータを記憶し、
　
ユーザが行っていない施設設置操作を前記各種のパラメータに基づいて識別し、
　
識別した前記施設設置操作を前記街についての次の操作としてユーザに促すアドバイス情報を前記通信端末に送信し、
　
前記通信端末は、受信した前記アドバイス情報を含む画面を表示し、
　前記サーバは、
　前記各種のパラメータに基づいて採点情報を算出し、
　前記採点情報を前記通信端末に送信し、
　前記通信端末は、受信した前記採点情報を含む画面を表示することを特徴と
する
に訂正する（以下「訂正事項３」という。）。
４　訂正事項４
　特許第５８２３９９６号における特許請求の範囲の請求項９に
「サーバと、該サーバと通信可能な複数の通信端末とを備える通信システムの制御方法において、
　前記サーバが、
　前記複数の通信端末のユーザが通信システム上でプレイすることができるゲーム内で形成する街の状態を示す各種のパラメータを記憶するステップと、
　ユーザが行っていない施設設置操作を前記各種のパラメータに基づいて識別するステップと、
　識別した前記施設設置操作を前記街についての次の操作としてユーザに促すアドバイス情報を前記通信端末に送信するステップと、
　前記通信端末が、受信した前記アドバイス情報を含む画面を表示するステップを含むことを特徴とする、通信システムの制御方法。」
と記載されているのを、
「サーバと、該サーバと通信可能な複数の通信端末とを備える通信システムの制御方法において、
　前記サーバが、
　前記複数の通信端末のユーザが通信システム上でプレイすることができるゲーム内で形成する街の状態を示す各種のパラメータを記憶するステップと、
　ユーザが行っていない施設設置操作を
、街のレベル及び町に配置された設置物の数を含むユーザ街情報を含む
　識別した前記施設設置操作を前記街についての次の操作としてユーザに促すアドバイス情報を前記通信端末に送信するステップと、
　前記通信端末が、受信した前記アドバイス情報
であって、街のレベル及び街に配置された設置物の数に基づくアドバイス情報
み、
　
前記通信端末が、複数のユーザ間におけるランキングを表示するランキング表示画面を表示し、
　
前記ランキング表示画面として、ランキング上位のユーザの情報を含む全体ランキング情報を表示する画面と、フレンドユーザ内におけるユーザ本人の順位を表示する画面とが表示可能となり、
　
前記ランキング表示画面では表示されているユーザに紐づけられた訪問ボタンが表示可能となり、
　
前記訪問ボタンがタップされることで、対応するユーザの街を表示する
に訂正する（請求項９の記載を直接的に引用する請求項１０も同様に訂正する。以下「訂正事項４」といい、「
街のレベル及び町に配置された設置物の数を含むユーザ街情報を含む
であって、街のレベル及び街に配置された設置物の数に基づくアドバイス情報
み、前記通信端末が、複数のユーザ間におけるランキングを表示するランキング表示画面を表示し、前記ランキング表示画面として、ランキング上位のユーザの情報を含む全体ランキング情報を表示する画面と、フレンドユーザ内におけるユーザ本人の順位を表示する画面とが表示可能となり、前記ランキング表示画面では表示されているユーザに紐づけられた訪問ボタンが表示可能となり、前記訪問ボタンがタップされることで、対応するユーザの街を表示する
５　訂正事項５
　特許第５８２３９９６号における特許請求の範囲の請求項１０に
「ユーザが行っていない施設設置操作を識別する前記ステップにおいて、
　前記サーバは、
　前記各種のパラメータのうち前記街に配置された設置物の数を示すパラメータに基づいて前記街に設置されていない施設を識別し、
　識別した前記施設を設置する操作を、ユーザが行っていない前記施設設置操作として識別することを特徴とする、請求項９に記載の制御方法。」
と記載されているのを、
「ユーザが行っていない施設設置操作を識別する前記ステップにおいて、
　前記サーバは、
　前記各種のパラメータのうち前記街に配置された設置物の数を示すパラメータに基づいて前記街に設置されていない施設を識別し、
　識別した前記施設を設置する操作を、ユーザが行っていない前記施設設置操作として識別
し、
　
前記通信端末は、
　
街のレベル、街に配置された設置物の数及び資材の量に基づくアドバイス情報を表示し、
　
前記全体ランキング情報を表示する画面と、フレンドユーザ内におけるユーザ本人の順位を表示する画面とがタブをタップすることで切り替えられるように表示し、
　
前記全体ランキング情報を表示する画面では表示されているユーザに紐づけられた訪問ボタンが表示される
に訂正する（以下「訂正事項５」という。）。
６　訂正事項６
　特許第５８２３９９６号における特許請求の範囲の請求項１１に
「前記サーバが、
　前記各種のパラメータに基づいて採点情報を算出するステップと、
　前記採点情報を前記通信端末に送信するステップと、
　前記通信端末が、受信した前記採点情報の内容を更に含む画面を表示するステップを更に含むことを特徴とする、請求項９又は１０に記載の制御方法。」
と記載されているのを、
「
サーバと、該サーバと通信可能な複数の通信端末とを備える通信システムの制御方法において、
　
前記サーバは、
　
前記複数の通信端末のユーザが通信システム上でプレイすることができるゲーム内で形成する街の状態を示す各種のパラメータを記憶するステップと、
　
ユーザが行っていない施設設置操作を前記各種のパラメータに基づいて識別するステップと、
　
識別した前記施設設置操作を前記街についての次の操作としてユーザに促すアドバイス情報を前記通信端末に送信するステップと、
　
前記通信端末は、受信した前記アドバイス情報を含む画面を表示するステップを含み、
　前記サーバが、
　前記各種のパラメータに基づいて採点情報を算出するステップと、
　前記採点情報を前記通信端末に送信するステップと、
　前記通信端末が、受信した前記採点情報の内容を更に含む画面を表示するステップを更
に含むことを特徴とす
る
に訂正する（請求項１１の記載を直接的に引用する請求項１２乃至１６も同様に訂正する。以下「訂正事項６」という。）。
第４　当審の判断
１　訂正事項１について
（１）訂正の目的の適否について
　訂正事項１−１は、訂正前の請求項１に係る発明で「ユーザが行っていない施設設置操作を前記各種のパラメータに基づいて識別し」と特定されていたものを、訂正後の請求項１に係る発明で「ユーザが行っていない施設設置操作を
、街のレベル及び町に配置された設置物の数を含むユーザ街情報を含む
　また、訂正事項１−２は、訂正前の請求項１に係る発明で「前記通信端末は、受信した前記アドバイス情報を含む画面を表示する」と特定されていたものを、訂正後の請求項１に係る発明で「前記通信端末は、受信した前記アドバイス情報
であって、街のレベル及び街に配置された設置物の数に基づくアドバイス情報
前記通信端末は、さらに、複数のユーザ間におけるランキングを表示するランキング表示画面を表示し、前記ランキング表示画面として、ランキング上位のユーザの情報を含む全体ランキング情報を表示する画面と、フレンドユーザ内におけるユーザ本人の順位を表示する画面とが表示可能となり、前記ランキング表示画面では表示されているユーザに紐づけられた訪問ボタンが表示可能となり、前記訪問ボタンがタップされることで、対応するユーザの街を表示する
　よって、本件審判の請求にかかる訂正事項１は、特許法第１２６条第１項ただし書き第１号に規定する「特許請求の範囲の減縮」を目的とするものに該当する。
（２）本願の願書に最初に添付した明細書、特許請求の範囲又は図面に記載した事項の範囲内のものであるか否かについて
　訂正事項１−１について、本件特許明細書の段落【００２５】には、「…ユーザの街の状態を示す各種のパラメータ等の情報（ユーザ街情報１３０ｂ）を含む。…ユーザ街情報１３０ａは、ユーザを識別するユーザＩＤ１３００、住人の悩み解決数１３０１、クエストクリア数１３０２、及びユーザの街に設置されている種々の設置物の数１３０３の情報を含む。…ユーザ街情報１３０に含まれる情報はこれらに限られるものではなく、例えばユーザの街のレベルや資金額、資材の量、街のレベルを上げるために必要な経験値等の情報を含んでもよい。」と記載されているから、「ユーザ街情報を含む前記各種のパラメータ」に「街のレベル及び町に配置された設置物の数」が含まれることが記載されている。
　また、訂正事項１−２について、本件特許明細書の段落【００２５】に加えて、本件特許明細書の段落【００３２】には、「…アドバイス選択部１２は、ユーザ街情報１３０に基づいてユーザが設置していない施設を識別し、当該識別結果と採点情報１３１とに基づいてアドバイス情報１３２を選択する。…」と記載されているから、「アドバイス情報」が、「街のレベル及び街に配置された設置物の数に基づく」ものであることが記載されている。
　また、訂正事項１−２について、本件特許明細書の段落【００３０】には、「好適には採点情報１３１は、ユーザ本人以外の他のユーザに係る採点情報１３１との比較に基づく全体ランキング情報及びご近所ランキング情報を更に含む。全体ランキング情報は、当該ゲームをプレイしている全ユーザにおけるユーザ本人のスコア順位を示す。ご近所ランキング情報は、複数のユーザからなる所定のユーザグループにおけるユーザ本人のスコア順位を示す。このユーザグループは、例えばユーザ本人及びユーザ本人と相互にフレンド登録を行った他のユーザ（フレンドユーザ）からなる。」と記載され、【００４９】には、「トップ表示部２１０１ａは、全ユーザにおける、採点情報１３１に基づいたスコア合計値のランキングであって、上位１０人分のスコア合計値及び順位を表示する。」と記載され、【００５１】には、「街訪問ボタン２１０１ｃは、対応するユーザの街を表示するためのユーザ入力を受け付ける入力インターフェースである。街訪問ボタン２１０１ｃは、採点結果画面２１０に表示されるユーザに対応してそれぞれ表示される。ユーザが街訪問ボタン２１０１ｃをタップすることにより、対応するユーザの街を表示する画面に表示部２１の表示を切り替える。」と記載され、【００５２】には、「図５は、ご近所ランクタブ２１０２が選択されている場合の採点結果画面２１０の例である。採点結果画面２１０は、フレンド表示部２１０２ａと、ユーザ表示部２１０２ｂと、スクロールバー２１０２ｃと、街訪問ボタン２１０２ｄとを有する。なお街訪問ボタン２１０２ｄは、図４の街訪問ボタン２１０１ｃと同一の構成であるため説明は省略する。」と記載され、【００５３】には、「フレンド表示部２１０２ａは、フレンドユーザに係るユーザグループ内における、採点情報１３１に基づいたスコア合計値のランキングであって、各フレンドユーザのスコア合計値及び順位を表示する。」と記載され、【００５４】には、「ユーザ表示部２１０２ｂは、フレンドユーザ内におけるユーザ本人のスコア合計値及び順位を表示する。」と記載され、【００７６】には、「…他のユーザとの間の比較を示す街のランキングを提示することにより、よりランキングの上位になるために、街を発展させるといったモチベーションを形成することができる。また、ランキング表示を契機にして、他のユーザの街の表示を可能にすることで、ユーザが他のユーザの街作りを参考にすることができる。」と記載されているから、ランキング表示画面が表示可能なこと、及び表示されているユーザに紐づけられた訪問ボタンが表示可能となり、前記訪問ボタンがタップされることで、対応するユーザの街を表示することが記載されている。
　よって、訂正事項１は、本件特許明細書等の全ての記載を総合することにより導かれる技術的事項との関係において新たな技術的事項を導入するものではないから、訂正事項１は、本件特許明細書等に記載した事項の範囲内のものである。
　したがって、訂正事項１は、特許法第１２６条第５項の規定に適合する。
（３）訂正が実質上特許請求の範囲を拡張し、又は変更するものであるか否かについて
　本件特許明細書には、訂正前の請求項１に係る発明の課題に関して、「ゲーム目的に終わりが無いため、街を更に発展させるためにユーザが次にどんな操作をすればよいか分からなくなることがあった。」（【０００４】参照。）、「また街に地震等の問題が発生した場合等にその対処を促す通知機能がある。しかしこれは単に問題が発生していることを指摘するものに過ぎず、またユーザが問題に対処しても、ゲーム目的である街の発展に寄与するものではなかった。」（【０００５】参照。）、及び「ユーザへ次の操作をアドバイスすることにより、ユーザが何をすればよいか分からない状態になることを防ぐことができる通信システム、通信システムの制御方法、及びプログラムを提供することにある。」（【０００６】参照。）と記載されていることから、訂正前の請求項１に係る発明の課題は、「ユーザへ次の操作をアドバイスすることにより、街の発展に寄与する」ことと認められる。
　また、訂正後の請求項１に係る発明が奏する効果に関して、本件特許明細書には、「他のユーザの街についての採点を行うことで、他のユーザとの間の比較を示す街のランキングを提示することにより、よりランキングの上位になるために、街を発展させるといったモチベーションを形成することができる。」（【００７６】参照。）と記載されていることから、訂正後の請求項１に係る発明の課題は、上記の課題に加えて、「街を発展させるといったモチベーションを形成すること」と認められる。
　そうすると、訂正前の請求項１に係る発明の課題と、訂正後の請求項１に係る発明の課題とは、「街を発展させる」ことを課題にしている点で一致し、何ら課題を変更するものでない。
　よって、訂正事項１は、上記（２）のとおり、願書に添付した明細書、特許請求の範囲又は図面に記載した事項の範囲において訂正をするものであり、実質上特許請求の範囲を拡張し、又は変更するものでもない。
　したがって、訂正事項１は、特許法第１２６条第６項の規定に適合する。
２　訂正事項２について
（１）訂正の目的の適否について
　訂正前・後の請求項２は、それぞれ、訂正前・後の請求項１の従属請求項であるところ、訂正事項２は、訂正後の請求項２に係る発明で「
前記通信端末は、街のレベル、街に配置された設置物の数及び資材の量に基づくアドバイス情報を表示し、前記全体ランキング情報を表示する画面と、フレンドユーザ内におけるユーザ本人の順位を表示する画面とがタブをタップすることで切り替えられるように表示し、前記全体ランキング情報を表示する画面では表示されているユーザに紐づけられた訪問ボタンが表示される
　よって、本件審判の請求にかかる訂正事項２は、特許法第１２６条第１項ただし書き第１号に規定する「特許請求の範囲の減縮」を目的とするものに該当する。
（２）本願の願書に最初に添付した明細書、特許請求の範囲又は図面に記載した事項の範囲内のものであるか否かについて
　訂正事項２について、本件特許明細書の段落【００２５】には、「…ユーザの街の状態を示す各種のパラメータ等の情報（ユーザ街情報１３０ｂ）を含む。…ユーザ街情報１３０ａは、ユーザを識別するユーザＩＤ１３００、住人の悩み解決数１３０１、クエストクリア数１３０２、及びユーザの街に設置されている種々の設置物の数１３０３の情報を含む。…ユーザ街情報１３０に含まれる情報はこれらに限られるものではなく、例えばユーザの街のレベルや資金額、資材の量、街のレベルを上げるために必要な経験値等の情報を含んでもよい。」と記載されているから、「ユーザ街情報を含む前記各種のパラメータ」に「街のレベル、街に配置された設置物の数及び資材の量」が含まれることが記載されている。
　また、本件特許明細書の段落【００２５】に加えて、本件特許明細書の段落【００３２】には、「…アドバイス選択部１２は、ユーザ街情報１３０に基づいてユーザが設置していない施設を識別し、当該識別結果と採点情報１３１とに基づいてアドバイス情報１３２を選択する。…」と記載されているから、「アドバイス情報」が、「街のレベル、街に配置された設置物の数及び資材の量に基づく」ものであることが記載されている。
　また、【００４２】には、「街スコアタブ２１００、全体ランクタブ２１０１、及びご近所ランクタブ２１０２は、採点結果画面２１０の内容を切替えるためのユーザ入力を受け付ける入力インターフェースである。ユーザがこれらのタブをタップして選択することにより、タブに対応する内容が採点結果画面２１０に表示される。」と記載され、【００５１】には、「街訪問ボタン２１０１ｃは、対応するユーザの街を表示するためのユーザ入力を受け付ける入力インターフェースである。街訪問ボタン２１０１ｃは、採点結果画面２１０に表示されるユーザに対応してそれぞれ表示される。ユーザが街訪問ボタン２１０１ｃをタップすることにより、対応するユーザの街を表示する画面に表示部２１の表示を切り替える。」と記載されているから、全体ランキング情報を表示する画面と、フレンドユーザ内におけるユーザ本人の順位を表示する画面とがタブをタップすることで切り替えられるように表示されることが記載されている。
　よって、訂正事項２は、本件特許明細書等の全ての記載を総合することにより導かれる技術的事項との関係において新たな技術的事項を導入するものではないから、訂正事項２は、本件特許明細書等に記載した事項の範囲内のものである。
　したがって、訂正事項２は、特許法第１２６条第５項の規定に適合する。
（３）訂正が実質上特許請求の範囲を拡張し、又は変更するものであるか否かについて
　そうすると、訂正事項２は、上記（２）のとおり、願書に添付した明細書、特許請求の範囲又は図面に記載した事項の範囲において訂正をするものであり、実質上特許請求の範囲を拡張し、又は変更するものでもない。
　したがって、訂正事項２は、特許法第１２６条第６項の規定に適合する。
３　訂正事項３について
（１）訂正の目的の適否について
　訂正事項３は、訂正前の請求項３が請求項１又は２の記載を引用した記載であったものを、請求項１、及び２の記載を引用しない独立形式の記載としたものであって、請求項間の引用関係を解消するものであるから、他の請求項の記載を引用する請求項の記載を当該他の請求項の記載を引用しないものとすることを目的とするものである。
　よって、本件審判の請求にかかる訂正事項３は、特許法第１２６条第１項ただし書き第４号に規定する「他の請求項の記載を引用する請求項の記載を当該他の請求項の記載を引用しないものとすること」を目的とするものに該当する。
（２）本願の願書に最初に添付した明細書、特許請求の範囲又は図面に記載した事項の範囲内のものであるか否かについて
　訂正事項３は、上記（１）のとおりであるから、願書に添付した明細書、特許請求の範囲又は図面に記載した事項の範囲において訂正をするものである。
　したがって、訂正事項３は、特許法第１２６条第５項の規定に適合する。
（３）訂正が実質上特許請求の範囲を拡張し、又は変更するものであるか否かについて
　訂正事項３は、上記（１）のとおりであるから、実質上特許請求の範囲を拡張し、又は変更するものでもない。
　したがって、訂正事項３は、特許法第１２６条第６項の規定に適合する。
４　訂正事項４について
（１）訂正の目的の適否について
　訂正事項４−１は、訂正前の請求項９に係る発明で「ユーザが行っていない施設設置操作を前記各種のパラメータに基づいて識別するステップと」と特定されていたものを、訂正後の請求項９に係る発明で「ユーザが行っていない施設設置操作を
、街のレベル及び町に配置された設置物の数を含むユーザ街情報を含む
　また、訂正事項４−２は、訂正前の請求項９に係る発明で「前記通信端末が、受信した前記アドバイス情報を含む画面を表示するステップを含む」と特定されていたものを、訂正後の請求項９に係る発明で「前記通信端末が、受信した前記アドバイス情報
であって、街のレベル及び街に配置された設置物の数に基づくアドバイス情報
み、前記通信端末が、複数のユーザ間におけるランキングを表示するランキング表示画面を表示し、前記ランキング表示画面として、ランキング上位のユーザの情報を含む全体ランキング情報を表示する画面と、フレンドユーザ内におけるユーザ本人の順位を表示する画面とが表示可能となり、前記ランキング表示画面では表示されているユーザに紐づけられた訪問ボタンが表示可能となり、前記訪問ボタンがタップされることで、対応するユーザの街を表示する
　よって、本件審判の請求にかかる訂正事項４は、特許法第１２６条第１項ただし書き第１号に規定する「特許請求の範囲の減縮」を目的とするものに該当する。
（２）本願の願書に最初に添付した明細書、特許請求の範囲又は図面に記載した事項の範囲内のものであるか否かについて
　訂正事項４−１について、本件特許明細書の段落【００２５】には、「…ユーザの街の状態を示す各種のパラメータ等の情報（ユーザ街情報１３０ｂ）を含む。…ユーザ街情報１３０ａは、ユーザを識別するユーザＩＤ１３００、住人の悩み解決数１３０１、クエストクリア数１３０２、及びユーザの街に設置されている種々の設置物の数１３０３の情報を含む。…ユーザ街情報１３０に含まれる情報はこれらに限られるものではなく、例えばユーザの街のレベルや資金額、資材の量、街のレベルを上げるために必要な経験値等の情報を含んでもよい。」と記載されているから、「ユーザ街情報を含む前記各種のパラメータ」に「街のレベル及び町に配置された設置物の数」が含まれることが記載されている。
　また、訂正事項４−２について、本件特許明細書の段落【００２５】に加えて、本件特許明細書の段落【００３２】には、「…アドバイス選択部１２は、ユーザ街情報１３０に基づいてユーザが設置していない施設を識別し、当該識別結果と採点情報１３１とに基づいてアドバイス情報１３２を選択する。…」と記載されているから、「アドバイス情報」が、「街のレベル及び街に配置された設置物の数に基づく」ものであることが記載されている。
　また、訂正事項４−２について、本件特許明細書の段落【００３０】には、「好適には採点情報１３１は、ユーザ本人以外の他のユーザに係る採点情報１３１との比較に基づく全体ランキング情報及びご近所ランキング情報を更に含む。全体ランキング情報は、当該ゲームをプレイしている全ユーザにおけるユーザ本人のスコア順位を示す。ご近所ランキング情報は、複数のユーザからなる所定のユーザグループにおけるユーザ本人のスコア順位を示す。このユーザグループは、例えばユーザ本人及びユーザ本人と相互にフレンド登録を行った他のユーザ（フレンドユーザ）からなる。」と記載され、【００４９】には、「トップ表示部２１０１ａは、全ユーザにおける、採点情報１３１に基づいたスコア合計値のランキングであって、上位１０人分のスコア合計値及び順位を表示する。」と記載され、【００５１】には、「街訪問ボタン２１０１ｃは、対応するユーザの街を表示するためのユーザ入力を受け付ける入力インターフェースである。街訪問ボタン２１０１ｃは、採点結果画面２１０に表示されるユーザに対応してそれぞれ表示される。ユーザが街訪問ボタン２１０１ｃをタップすることにより、対応するユーザの街を表示する画面に表示部２１の表示を切り替える。」と記載され、【００５２】には、「図５は、ご近所ランクタブ２１０２が選択されている場合の採点結果画面２１０の例である。採点結果画面２１０は、フレンド表示部２１０２ａと、ユーザ表示部２１０２ｂと、スクロールバー２１０２ｃと、街訪問ボタン２１０２ｄとを有する。なお街訪問ボタン２１０２ｄは、図４の街訪問ボタン２１０１ｃと同一の構成であるため説明は省略する。」と記載され、【００５３】には、「フレンド表示部２１０２ａは、フレンドユーザに係るユーザグループ内における、採点情報１３１に基づいたスコア合計値のランキングであって、各フレンドユーザのスコア合計値及び順位を表示する。」と記載され、【００５４】には、「ユーザ表示部２１０２ｂは、フレンドユーザ内におけるユーザ本人のスコア合計値及び順位を表示する。」と記載され、【００７６】には、「…他のユーザとの間の比較を示す街のランキングを提示することにより、よりランキングの上位になるために、街を発展させるといったモチベーションを形成することができる。また、ランキング表示を契機にして、他のユーザの街の表示を可能にすることで、ユーザが他のユーザの街作りを参考にすることができる。」と記載されているから、ランキング表示画面が表示可能なこと、及び表示されているユーザに紐づけられた訪問ボタンが表示可能となり、前記訪問ボタンがタップされることで、対応するユーザの街を表示することが記載されている。
　よって、訂正事項４は、本件特許明細書等の全ての記載を総合することにより導かれる技術的事項との関係において新たな技術的事項を導入するものではないから、訂正事項４は、本件特許明細書等に記載した事項の範囲内のものである。
　したがって、訂正事項４は、特許法第１２６条第５項の規定に適合する。
（３）訂正が実質上特許請求の範囲を拡張し、又は変更するものであるか否かについて
　本件特許明細書には、訂正前の請求項９に係る発明の課題に関して、「ゲーム目的に終わりが無いため、街を更に発展させるためにユーザが次にどんな操作をすればよいか分からなくなることがあった。」（【０００４】参照。）、「また街に地震等の問題が発生した場合等にその対処を促す通知機能がある。しかしこれは単に問題が発生していることを指摘するものに過ぎず、またユーザが問題に対処しても、ゲーム目的である街の発展に寄与するものではなかった。」（【０００５】参照。）、及び「ユーザへ次の操作をアドバイスすることにより、ユーザが何をすればよいか分からない状態になることを防ぐことができる通信システム、通信システムの制御方法、及びプログラムを提供することにある。」（【０００６】参照。）と記載されていることから、訂正前の請求項９に係る発明の課題は、「ユーザへ次の操作をアドバイスすることにより、街の発展に寄与する」ことと認められる。
　また、訂正後の請求項９に係る発明が奏する効果に関して、本件特許明細書には、「他のユーザの街についての採点を行うことで、他のユーザとの間の比較を示す街のランキングを提示することにより、よりランキングの上位になるために、街を発展させるといったモチベーションを形成することができる。」（【００７６】参照。）と記載されていることから、訂正後の請求項９に係る発明の課題は、上記の課題に加えて、「街を発展させるといったモチベーションを形成すること」と認められる。
　そうすると、訂正前の請求項９に係る発明の課題と、訂正後の請求項９に係る発明の課題とは、「街を発展させる」ことを課題にしている点で一致し、何ら課題を変更するものでない。
　よって、訂正事項４は、上記（２）のとおり、願書に添付した明細書、特許請求の範囲又は図面に記載した事項の範囲において訂正をするものであり、実質上特許請求の範囲を拡張し、又は変更するものでもない。
　したがって、訂正事項４は、特許法第１２６条第６項の規定に適合する。
５　訂正事項５について
（１）訂正の目的の適否について
　訂正前・後の請求項１０は、それぞれ、訂正前・後の請求項９の従属請求項であるところ、訂正事項５は、訂正後の請求項１０に係る発明で「
前記通信端末は、街のレベル、街に配置された設置物の数及び資材の量に基づくアドバイス情報を表示し、前記全体ランキング情報を表示する画面と、フレンドユーザ内におけるユーザ本人の順位を表示する画面とがタブをタップすることで切り替えられるように表示し、前記全体ランキング情報を表示する画面では表示されているユーザに紐づけられた訪問ボタンが表示される
　よって、本件審判の請求にかかる訂正事項５は、特許法第１２６条第１項ただし書き第１号に規定する「特許請求の範囲の減縮」を目的とするものに該当する。
（２）本願の願書に最初に添付した明細書、特許請求の範囲又は図面に記載した事項の範囲内のものであるか否かについて
　訂正事項５について、本件特許明細書の段落【００２５】には、「…ユーザの街の状態を示す各種のパラメータ等の情報（ユーザ街情報１３０ｂ）を含む。…ユーザ街情報１３０ａは、ユーザを識別するユーザＩＤ１３００、住人の悩み解決数１３０１、クエストクリア数１３０２、及びユーザの街に設置されている種々の設置物の数１３０３の情報を含む。…ユーザ街情報１３０に含まれる情報はこれらに限られるものではなく、例えばユーザの街のレベルや資金額、資材の量、街のレベルを上げるために必要な経験値等の情報を含んでもよい。」と記載されているから、「ユーザ街情報を含む前記各種のパラメータ」に「街のレベル、街に配置された設置物の数及び資材の量」が含まれることが記載されている。
　また、本件特許明細書の段落【００２５】に加えて、本件特許明細書の段落【００３２】には、「…アドバイス選択部１２は、ユーザ街情報１３０に基づいてユーザが設置していない施設を識別し、当該識別結果と採点情報１３１とに基づいてアドバイス情報１３２を選択する。…」と記載されているから、「アドバイス情報」が、「街のレベル、街に配置された設置物の数及び資材の量に基づく」ものであることが記載されている。
　また、【００４２】には、「街スコアタブ２１００、全体ランクタブ２１０１、及びご近所ランクタブ２１０２は、採点結果画面２１０の内容を切替えるためのユーザ入力を受け付ける入力インターフェースである。ユーザがこれらのタブをタップして選択することにより、タブに対応する内容が採点結果画面２１０に表示される。」と記載され、【００５１】には、「街訪問ボタン２１０１ｃは、対応するユーザの街を表示するためのユーザ入力を受け付ける入力インターフェースである。街訪問ボタン２１０１ｃは、採点結果画面２１０に表示されるユーザに対応してそれぞれ表示される。ユーザが街訪問ボタン２１０１ｃをタップすることにより、対応するユーザの街を表示する画面に表示部２１の表示を切り替える。」と記載されているから、全体ランキング情報を表示する画面と、フレンドユーザ内におけるユーザ本人の順位を表示する画面とがタブをタップすることで切り替えられるように表示されることが記載されている。
　よって、訂正事項５は、本件特許明細書等の全ての記載を総合することにより導かれる技術的事項との関係において新たな技術的事項を導入するものではないから、訂正事項５は、本件特許明細書等に記載した事項の範囲内のものである。
　したがって、訂正事項５は、特許法第１２６条第５項の規定に適合する。
（３）訂正が実質上特許請求の範囲を拡張し、又は変更するものであるか否かについて
　そうすると、訂正事項５は、上記（２）のとおり、願書に添付した明細書、特許請求の範囲又は図面に記載した事項の範囲において訂正をするものであり、実質上特許請求の範囲を拡張し、又は変更するものでもない。
　したがって、訂正事項５は、特許法第１２６条第６項の規定に適合する。
６　訂正事項６について
（１）訂正の目的の適否について
　訂正事項６は、訂正前の請求項１１が請求項９又は１０の記載を引用した記載であったものを、請求項９、及び１０の記載を引用しない独立形式の記載としたものであって、請求項間の引用関係を解消するものであるから、他の請求項の記載を引用する請求項の記載を当該他の請求項の記載を引用しないものとすることを目的とするものである。
　よって、本件審判の請求にかかる訂正事項６は、特許法第１２６条第１項ただし書き第４号に規定する「他の請求項の記載を引用する請求項の記載を当該他の請求項の記載を引用しないものとすること」を目的とするものに該当する。
（２）本願の願書に最初に添付した明細書、特許請求の範囲又は図面に記載した事項の範囲内のものであるか否かについて
　訂正事項６は、上記（１）のとおりであるから、願書に添付した明細書、特許請求の範囲又は図面に記載した事項の範囲において訂正をするものである。
　したがって、訂正事項６は、特許法第１２６条第５項の規定に適合する。
（３）訂正が実質上特許請求の範囲を拡張し、又は変更するものであるか否かについて
　訂正事項６は、上記（１）のとおりであるから、実質上特許請求の範囲を拡張し、又は変更するものでもない。
　したがって、訂正事項６は、特許法第１２６条第６項の規定に適合する。
７　訂正後における特許請求の範囲に記載されている事項により特定される発明が特許出願の際独立して特許を受けることができるか否かについて　
　「特許請求の範囲の減縮」を目的とする訂正後の請求項１、２、９、及び１０に係る発明について、特許出願の際独立して特許を受けることができないとする理由は見いだせない。　
　したがって、訂正事項１、２、４、及び５は、特許法第１２６条第７項の規定に適合する。
８　一群の請求項について
　本件訂正前の請求項１乃至８について、訂正前の請求項２乃至８は請求項１を直接的または間接的に引用するものであるから、訂正前の請求項１乃至８は特許法第１２６条第３項に規定する一群の請求項である。
　本件訂正前の請求項９乃至１６について、訂正前の請求項１０乃至１６は請求項９を直接的または間接的に引用するものであるから、訂正前の請求項９乃至１６は特許法第１２６条第３項に規定する一群の請求項である。
　また、訂正前の請求項１及び２は、訂正後の請求項１及び２に対応するものであり、訂正前の請求項３乃至８は、訂正後の請求項３乃至８に対応するものであり、訂正前の請求項９及び１０は、訂正後の請求項９及び１０に対応するものであり、訂正前の請求項１１乃至１６は、訂正後の請求項１１乃至１６に対応するものである。
　したがって、請求項１及び２、３乃至８、９及び１０、１１乃至１６は、それぞれ、特許法第１２６条第３項に規定する一群の請求項である。
第５　むすび
　以上のとおり、本件審判の請求に係る本件訂正は、特許法第１２６条第１項ただし書き第１号、及び第４号に掲げる事項を目的とし、かつ、同条第５項ないし第７項の規定に適合するものである。
　よって、結論のとおり審決する。